(57)【特許請求の範囲】
【請求項１】
ガスこんろの前面内部にガスコードのガス栓用ソケットを着脱することで開栓又は閉栓するガスコンセントを備え、
前記ガスコンセントの手前の器具前面パネルに上記ガス栓用ソケットが挿入、脱出できる挿脱孔を備え、
前記挿脱孔に前記コンセントに対するソケットの離脱閉栓手段を兼備するツマミ付きの開閉蓋体を備えるガスこんろであって、
前記ツマミ付きの開閉蓋体は、前記前面パネルの前面に備えられ、前記挿脱孔を開閉する蓋部とツマミ部を備え、かつ該ツマミ部の基端に固定された軸と、前記開閉蓋体の軸と前記前面パネルとの間に発条とを備え、かつ前記軸を支点として回動し前記挿脱孔を開閉可能であり、
前記ソケットの離脱閉栓手段は、前記ガスコンセントに装着される前記ガス栓用ソケットを押動して前記ガスコンセントより離脱させるための双股状の支承片と、該支承片と若干の角度を存して連設された押圧板と、前記支承片の基部に設けられた枢支耳片とを備え、かつ、前記枢支耳片を介して支持ピンで揺動可能に枢支された揺動アームを備え、
さらに、前記揺動アームの前記押圧板は、係合孔を備えかつ前記開閉蓋体の前記軸の先端部が前記押動板の前記係合孔を挿通しており、
前記開閉蓋体を回動して前面パネルの挿脱孔を開放後、前記ガスコンセントに対しガス栓用ソケットを挿脱孔から挿入して差し込むことにより、前記ソケットの先端可動部が前進移動して開栓接続され、同時に前進した前記ソケットの先端可動部により前記支承片が押動されることにより軸支されている前記揺動アームが回動し、前記押圧板が前記軸を押圧することにより、前記開閉蓋体が手前に浮き上がるとともに、前記発条が圧縮された状態となり、さらに、前記浮き上がった状態の前記開閉蓋体を押すことにより前記発条の付勢と相まって、前記ソケットの前記先端可動部が、前記揺動アームの前記支承片にて押され、前記ガス栓用ソケットを前記ガスコンセントから離脱させるとともに前記ガスコンセントが閉栓するものとなっていることを特徴とするガスこんろ。
【発明の詳細な説明】
【０００１】
【発明の属する技術分野】
この発明は、ガスこんろの前面内部にガスコード等のガス栓用ソケットが開栓接続又は閉栓離脱できるガスコンセントを備えたガスこんろに関する。
【０００２】
【従来の技術】
従来、たとえば、すき焼用ガスこんろ等へのガス接続を行う場合、壁面下方部等に備えられたガスコンセントにガスコード等のガス栓用ソケットを挿脱して使用しているのが一般的である。
【０００３】
【発明が解決しようとする課題】
上記従来の技術では、室内の壁面等にガスコンセントを配管設置する必要があるため、そのための増設工事には床下配管等が必要なことと相まって多大の手間と費用がかかるという問題点があった。
この発明のガスこんろは上記課題を解決し、ガスこんろの前面内部にガスコード等のガス栓用ソケットが開栓接続又は閉栓離脱できるガスコンセントを備えて、他のガス器具（たとえば、すき焼用ガスこんろ等）へのガス接続がガスこんろから安全、かつ、簡易に行いうるガスこんろの提供を目的としている。
【０００４】
【課題を解決するための手段】
上記課題を解決するこの発明の請求項１記載のガスこんろは、
ガスこんろの前面内部にガスコードのガス栓用ソケットを着脱することで開栓又は閉栓するガスコンセントを備え、
前記ガスコンセントの手前の器具前面パネルに上記ガス栓用ソケットが挿入、脱出できる挿脱孔を備え、
前記挿脱孔に前記コンセントに対するソケットの離脱閉栓手段を兼備するツマミ付きの開閉蓋体を備えるガスこんろであって、
前記ツマミ付きの開閉蓋体は、前記前面パネルの前面に備えられ、前記挿脱孔を開閉する蓋部とツマミ部を備え、かつ該ツマミ部の基端に固定された軸と、前記開閉蓋体の軸と前記前面パネルとの間に発条とを備え、かつ前記軸を支点として回動し前記挿脱孔を開閉可能であり、
前記ソケットの離脱閉栓手段は、前記ガスコンセントに装着される前記ガス栓用ソケットを押動して前記ガスコンセントより離脱させるための双股状の支承片と、該支承片と若干の角度を存して連設された押圧板と、前記支承片の基部に設けられた枢支耳片とを備え、かつ、前記枢支耳片を介して支持ピンで揺動可能に枢支された揺動アームを備え、
さらに、前記揺動アームの前記押圧板は、係合孔を備えかつ前記開閉蓋体の前記軸の先端部が前記押動板の前記係合孔を挿通しており、
前記開閉蓋体を回動して前面パネルの挿脱孔を開放後、前記ガスコンセントに対しガス栓用ソケットを挿脱孔から挿入して差し込むことにより、前記ソケットの先端可動部が前進移動して開栓接続され、同時に前進した前記ソケットの先端可動部により前記支承片が押動されることにより軸支されている前記揺動アームが回動し、前記押圧板が前記軸を押圧することにより、前記開閉蓋体が手前に浮き上がるとともに、前記発条が圧縮された状態となり、さらに、前記浮き上がった状態の前記開閉蓋体を押すことにより前記発条の付勢と相まって、前記ソケットの前記先端可動部が、前記揺動アームの前記支承片にて押され、前記ガス栓用ソケットを前記ガスコンセントから離脱させるとともに前記ガスコンセントが閉栓するものとなっていることを要旨とする。
【０００５】
上記構成を有するこの発明の請求項１記載のガスこんろは、ガスこんろの前面内部に備えたガスコンセントにガスコード等のガス栓用ソケットが器具前面パネルの挿脱孔から着脱できるから、他のガス器具へのガス接続がガスこんろから安全、かつ、簡易に行いうる。また、前面内部のガスコンセントは、不使用時は器具内に前面の開閉蓋体で隠されているので、外観上見た目のデザインを損うことはない。
【０００６】
上記ガスこんろは、器具前面パネルの挿脱孔にコンセントに対するソケットの離脱閉栓手段を兼備するツマミ付きの開閉蓋体を備えたので、ソケットをコンセントから外すときはツマミを押すだけでソケットの離脱閉栓手段の作動により簡単に閉栓脱出できる。
【０００７】
上記ガスこんろは、ガスコンセントに対しガス栓用ソケットを接続して開栓するときは、ガス栓用ソケットを挿脱孔から挿入してガスコンセントの先端接続部に差し込むだけでソケットの先端可動部が前進移動して開栓接続されると同時にソケットの先端可動部の前進移動により揺動アームを介してツマミ付き開閉蓋体を後退させて浮き上がらせ、この状態のもとにコンセントに対しソケットが気密を保って接続される。
また、ガスコンセントからガス栓用ソケットを外すときは、開閉蓋体と一体のツマミを押すと、揺動アームを介してソケットの先端可動部を後退させるため、コンセントからソケットが離脱して閉栓し、ソケットを脱出することができる。
【０００８】
したがって、ガスこんろの前面側から他の器具へのガス接続が簡単にできるから、使用上便利であり、ガスこんろ内のガス導管をコンセントに分岐接続するだけであるため、コンセントに至るガス配管構造は簡単となり、ガスコンセントには従来より一般に使用されている迅速継手を使用すればその接続、離脱が簡単、確実に行える。
また、ガスコンセントをガスこんろの前面内部に備えたので、器具後方部に設置した場合のように高温になるバーナや排気口の近くをガスコードが通る可能性は全くなくなり安全である。さらに、コンセントは器具内に設置され、通常は開閉蓋体で隠されているため、余分なゴムキャップは不要となり、また、外観上見た目のデザインも極めてよい。
【０００９】
【発明の実施の形態】
以上説明したこの発明の構成、作用を一層明らかにするために、以下この発明の予備栓付きガスこんろの好適な実施の形態の一例について図面を参照して説明する。
【００１０】
図１〜図４及び図６はガスコンセントとガス栓用ソケットからなる予備栓の一例を示し、また、図５はこの発明をシステムキッチンの流し台に対応できるビルトインガスこんろに適用した場合の一例を示したものであって、Ａはガスコンセントで、先端に接続部１を有し基端には取付板２を備え、ガスこんろＣの前面内部の一側下端に先端接続部１を前方に向けて取付板２により固定され、このガスコンセントＡにはガスこんろＣ内のガス配管から分岐されたガス管（図示せず）が接続されている。そして、このガスコンセントＡには後述するガス栓用ソケットＢの脱着により開栓又は閉栓する内部構造を有している。
【００１１】
Ｂは、ガスコード１７等のガス栓用ソケットで、ガスコード１７等の端部に備えられ、上記ガスコンセントＡの先端接続部１にその先端部を差し込むことで、先端可動部３がバネ力で一定のストロークａだけ前進移動してガスコンセントＡに開栓接続され、先端可動部３を元位置まで後退させると、ソケットＢがコンセントＡから離脱して閉栓するようになっている。
なお、上記ガスコンセントＡとガス栓用ソケットＢは従来より一般に使用されている公知のものであるから、その詳細な構造の説明は省略する。
【００１２】
４はガスこんろＣの前面パネル５に穿った挿脱孔で、上記ガスコンセントＡの先端接続部１と同一軸心を保って穿たれ、上記ガス栓用ソケットＢの挿入、脱出が自由に行えるようになっており、この挿脱孔４は後述するツマミ付きの開閉蓋体６で開閉できるようになっている。
【００１３】
上記ツマミ付きの開閉蓋体６は、ツマミ部７の基端に固定された軸８の先端部８ａと上記ガス栓用ソケットＢの先端可動部３とを揺動アーム９を介して連動し、開閉蓋体６と軸８は発条２５で復帰方向（図示右方）に付勢されている。上記揺動アーム９は図４に示されているように双股状の支承片１０と一端に上記軸８の先端部８ａの細軸８ｂが挿通できる係合孔１１ａを有する押動板１１とが若干の角度を存して連設され、支承片１０の基部に枢支耳片１２を備えた構造となっており、ガスコンセントＡの支持部１３に枢支耳片１２を介して支持ピン１４で揺動可能に枢支され、軸８の先端細軸８ｂを押動板１１の係合孔１１ａに挿通し、支承片１０にはガス栓用ソケットＢの先端可動部３が支承されてツマミ部７と一体の軸８とガス栓用ソケットＢの先端可動部３とが揺動アーム９を介して連動し、開閉蓋体６の蓋部１５は軸８を支点として左右へ一定角度ｃだけツマミ７とともに回動変位して挿脱孔４を開閉するようになっている（図６（イ）、（ロ）参照）。
【００１４】
なお、図５のビルトインガスこんろＣにおいて、１８はこんろ用操作ボタン、１９はグリル用操作ボタン、２０はこんろ用のガス量調節レバー、２１はグリル用のガス量調節レバー、Ｇはグリル、２２は五徳、２３はシステムキッチンの流し台、２４は電池収納部である。
【００１５】
上記構成において、ビルトインガスこんろＣの前面一側下部の内部に備えたガスコンセントＡにガス栓用ソケットＢを接続する際は、開閉蓋体６のツマミ部７を持って開閉蓋体６を図示右方へ軸８を支点として略９０度ｃ回動変位すると、前面パネル５に穿たれている挿脱孔４が開放される（図６の（イ）の状態から（ロ）の状態参照）。
【００１６】
そこで、ガスコード１７等の端部に備えられたガス栓用ソケットＢを前面パネル５の挿脱孔４から挿入して器具内に設置されているガスコンセントＡの先端接続部１にその先端可動部３を差し込むと、ガス栓用ソケットＢの先端可動部３が一定のストロークａだけバネ力により前進移動して開栓接続されると同時にソケットＢの先端可動部３の前進移動により揺動アーム９を図示反時計方向へ支持ピン１４を支点として回動し揺動アーム９の押動板１１で軸８を図示左方へ一定のストロークｂだけ押動することで軸８と一体のツマミ付きの開閉蓋体６を軸８とともに復帰用の発条２５に抗して後退させ、開閉蓋体６を手前に浮き上がらせた状態のもとにガスコンセントＡに対しガス栓用ソケットＢを気密に接続固定するものである（図１の状態から図２の状態参照）。
【００１７】
次に、ガスコンセントＡからガス栓用ソケットＢを外すときは、開閉蓋体６のツマミ部７を図示右方へ一定のストロークｂだけ押動すると、発条２５による復帰力と相まって軸８で揺動アーム９を図示時計方向へ支持ピン１４を支点として回動し揺動アーム９の支承片１０でソケットＢの先端可動部３を一定のストロークａだけ図示左方へ押動してコンセントＡからソケットＢを離脱させると同時に閉栓しソケットＢを挿脱孔４から脱出させることができるものである（図２の状態から図１の状態参照）。その後、開閉蓋体６のツマミ部７を持って開閉蓋体６を図示左方へ軸８を支点として略９０度ｃ回動変位すると、前面パネル５の挿脱孔４は蓋部１５で塞がれる（図６の（ロ）の状態から（イ）の状態参照）。
【００１８】
図７は挿脱孔の開閉蓋体による開閉とソケットの離脱とを別々に行う場合のソケット離脱手段の一例を示したものであって、外しボタン２６が装着されたスライド板２７に備えた係合片２８を揺動アーム２９の押動板３０と関連させて、外しボタン２６を押すことにより係合片２８で揺動アーム２９の押動板３０を後方に押して双股状支承片３１によりソケット（図示せず）の先端可動部を前方へ一定のストロークだけ押動しコンセントＡからソケットを離脱させるようにしたものである。
【００１９】
以上この発明の実施の形態の一例について説明したが、この発明はこうした実施の形態のものに何等限定されず、この発明の要旨を逸脱しない範囲において種々なる態様で実施しうることは勿論である。たとえば、実施の形態ではビルトインガスこんろに適用したが、通常のガスこんろにも適用できる。
【００２０】
【発明の効果】
この発明は以上説明したような形態で実施され、以下に記載されるような効果を奏する。
【００２１】
この発明の請求項１記載のガスこんろによれば、ガスこんろの前面内部に備えたガスコンセントにガスコード等のガス栓用ソケットが器具前面パネルの挿脱孔から着脱できるから、他のガス器具へのガス接続がガスこんろから安全、かつ、簡易に行いうる。また、前面内部のガスコンセントは、不使用時は器具内に前面の開閉蓋体で隠されているので、外観上見た目のデザインを損うことはない。
【００２２】
上記ガスこんろによれば、器具前面パネルの挿脱孔にコンセントに対するソケットの離脱閉栓手段を兼備するツマミ付きの開閉蓋体を備えたので、ソケットをコンセントから外すときはツマミ部を押すだけでソケットの離脱閉栓脱出が容易に行える。
【００２３】
上記ガスこんろによれば、ガスコンセントに対しガス栓用ソケットを接続して開栓するときは、ガス栓用ソケットを前面パネルの挿脱孔から挿入してガスコンセントの先端接続部に差し込むだけでソケットの先端可動部が前進移動して開栓接続されると同時にソケットの先端可動部の前進移動により揺動アームを介してツマミ付き開閉蓋体を後退させて浮き上がらせ、この状態のもとにコンセントに対しソケットが気密に接続固定される。また、ガスコンセントからガス栓用ソケットを外すときは、開閉蓋体と一体のツマミを押すと、揺動アームを介してソケットの先端可動部を後退させ、コンセントからソケットを離脱して閉栓しソケットを脱出することができる。
【００２４】
したがって、ガスこんろの前面側から他のガス器具へのガス接続ができるから、従来の壁面設置のものに比べ、使用上便利であり、ガスこんろ内のガス導管をコンセントに分岐接続するだけであるため、コンセントに至るガス配管構造は至って簡単となり、コスト的に安く、しかも、ガスコンセントには従来より一般に使用されている迅速継手を使用すれば、その接続開栓、離脱閉栓が簡単、確実に行える。
また、ガスコンセントをガスこんろの前面内部に備えたので、器具後方部に設置した場合のように高温になるバーナや排気口の近くをガスコードが通る可能性は全くなくなり安全である。さらに、コンセントは器具内に設置され、通常は開閉蓋体で隠されているため、余分なゴムキャップは不要となり、また、外観上見た目のデザインも極めてよい。
【図面の簡単な説明】
【図１】  この発明の予備栓付きガスこんろの前面内部に組み込み設置するガスコンセントとガス栓用ソケットからなる予備栓の一例を示した分離状態の一部切断側面図である。
【図２】  同接続状態の一部切断側面図である。
【図３】  ガスコンセントだけの平面図である。
【図４】  揺動アームの斜視図である。
【図５】  この発明をビルトインガスこんろに組み込んだ場合の正面図である。
【図６】  ツマミ付き開閉蓋体と挿脱孔との関係を示したもので、（イ）は蓋を閉じた状態、（ロ）は蓋を開けた状態の正面図である。
【図７】  蓋の開閉とソケットの離脱とを別に行う場合のソケット離脱手段の一例を示した斜視図である。
【符号の説明】
Ａ…ガスコンセント
Ｂ…ガス栓用ソケット
Ｃ…ガスこんろ
４…挿脱孔
５…前面パネル
６…ツマミ付きの開閉蓋体
３…ソケットの先端可動部
９…揺動アーム
８…軸
【図１】
0004272761.tif 000002
【図２】
0004272761.tif 000003
【図３】
0004272761.tif 000004
【図４】
0004272761.tif 000005
【図５】
0004272761.tif 000006
【図６】
0004272761.tif 000007
【図７】
0004272761.tif 000008